(57)【要約】【課題】液晶パネル用洗浄剤において特に洗浄が困難であった液晶パネルの空隙部位に侵入した液晶材の洗浄だけでなく、切削屑その他の微細ゴミの洗浄に際して、短時間で完全に洗浄することができ、かつすすぎ性にも優れ、更に環境への負荷が小さい洗浄剤組成物を提供すること。【解決手段】サーファクチン及び／またはその塩を含有することを特徴とする液晶パネル用洗浄剤組成物、該組成物からなる洗浄剤液及び液晶パネルの洗浄方法。【選択図】なし【特許請求の範囲】
【請求項１】
サーファクチン及び／またはその塩（Ａ）を含有することを特徴とする液晶パネル用洗浄剤組成物。
【請求項２】
塩が、ナトリウム塩であることを特徴とする請求項１に記載の液晶パネル用洗浄剤組成物。
【請求項３】
水及び／またはアルコール（Ｂ）を含有することを特徴とする請求項１または２に記載の液晶パネル用洗浄剤組成物。
【請求項４】
界面活性剤（Ｃ）を含有することを特徴とする請求項１ないし３のいずれかに記載の液晶パネル用洗浄剤組成物。
【請求項５】
界面活性剤（Ｃ）が、アニオン性またはノニオン性の界面活性剤であることを特徴とする請求項４に記載の液晶パネル用洗浄剤組成物。
【請求項６】
サーファクチン及び／またはその塩（Ａ）の含有量が、組成物全量に対して０．００５〜９０質量％であることを特徴とする請求項１〜３のいずれかに記載の液晶パネル用洗浄剤組成物。
【請求項７】
請求項１〜６のいずれかに記載の液晶パネル用洗浄剤組成物を希釈してなる洗浄剤液。
【請求項８】
請求項１〜６のいずれかに記載の液晶パネル用洗浄剤組成物または請求項７に記載の洗浄剤液を用いることを特徴とする液晶パネルの洗浄方法。
【請求項９】
超音波により洗浄することを特徴とする請求項８に記載の液晶パネルの洗浄方法。
【発明の詳細な説明】
【０００１】
【発明の属する技術分野】
本発明は、環境や人体に対して安全で、かつ良好な洗浄性能を有する新規な液晶パネル用洗浄剤組成物、該組成物を希釈してなる洗浄剤液及びそれらを用いた洗浄方法に関する。
【０００２】
【従来の技術】
液晶パネルの製造に際しては、透明電極が形成された２枚の基板を適切な間隔を保って、内部が中空になるように２枚の基盤の、三方の周辺部を接着剤により張り合わせて液晶室を形成し、空の液晶セルを作成する。この液晶セルへの液晶の注入方法の一つとして、真空にした液晶注入室内で液晶室の開口部を液晶材に浸し、ついで、液晶注入室を大気圧にすることにより、液晶材が液晶室内に吸引され、その後開口部を封止することによって液晶パネルを形成する方法がある。
【０００３】
しかしながら、このような工程では、２枚の液晶パネル基板の、ミクロン単位の微少な空隙部に、毛細管現象により液晶材が入り込む現象が発生する。この空隙部には透明電極に信号を印加するための電極端子が各々絶縁を保って高密度に形成されていることから、この部分の液晶をそのまま放置すると液晶材が大気中の汚染物質を溶解し、絶縁不良を起こすことがある。そのため、この空隙部に浸入した液晶材を洗浄除去することが必要となる。しかし、この空隙部の間隔は１０μｍ以下と狭いため、浸入した液晶材を完全に洗浄除去するには、洗浄剤として高度な洗浄性能が要求される。
【０００４】
フロン系溶剤や、トリクロロエタン、トリクロロエチレン、メチレンクロライド等の塩素系溶剤、非水系炭化水素系溶剤は、その優れた油溶解カから、液晶パネルをはじめ、金属部品、ガラス部品、プラスチック部品等、産業界のあらゆる部品に付着しているほとんどすべての汚れ成分に対して良好な洗浄剤として用いられてきた。
【０００５】
しかし、近年の全世界的環境対策の一環として、フロン系溶剤、塩素系溶剤の使用抑制・規制が始まり、それに伴い代替洗浄剤の要求が強くなっている。このような状況に対し、液晶パネル用洗浄剤についても、例えば、特開平３−７０８００号公報、特開平３−２１２４９９号公報、特開平４−３８１００号公報、特開平４−６８０９６号公報、特開平４−２５２２９９号公報、特開平７−１３３４９６号公報、特開平１１−１８９７８７号公報、特開２０００−３１３８９９、特許登録２９８２９７５等において開示されている。
【０００６】
しかし、環境面を考慮して検討された水系洗浄剤は、固体あるいは高粘度の有機汚れに対する洗浄性が不十分なものが多い。さらに近年、液晶パネルの高密度化技術の進展に伴い空隙部はより狭く、また生産効率向上要求により、より短時間で洗浄可能な洗浄剤が求められている。
【０００７】
また、液晶パネルとして用いられるガラス基盤の切削屑を始めとした微細ゴミの除去のためにも洗浄剤が用いられており、それら製造工程内で使用する洗浄剤の種類を削減したいとのニーズから、液晶だけでなく切削屑他の微細ゴミも良好に洗浄できる洗浄剤が望まれている。
【０００８】
【発明が解決しようとする課題】
本発明は、液晶パネル用洗浄剤において特に洗浄が困難であった液晶パネルの空隙部位に侵入した液晶材の洗浄だけでなく、切削屑その他の微細ゴミの洗浄に際して、短時間で完全に洗浄することができ、かつすすぎ性にも優れ、更に環境への負荷が小さい洗浄剤組成物、該組成物を希釈してなる洗浄剤液及びそれらを用いた液晶の洗浄方法を提供することを課題とする。
【０００９】
【課題を解決するための手段】
本発明者らは、上記課題を解決すべく鋭意検討の結果、サーファクチン及び／またはその塩を含有する洗浄剤組成物及びその組成物を用いた洗浄剤液を用いることにより、上記課題を達成できることを見いだし、本発明を完成するに至った。
【００１０】
すなわち、本発明は以下の事項に関する。
［１］サーファクチン及び／またはその塩（Ａ）を含有することを特徴とする液晶パネル用洗浄剤組成物。
［２］塩が、ナトリウム塩であることを特徴とする上記［１］に記載の液晶パネル用洗浄剤組成物。
［３］水及び／またはアルコール（Ｂ）を含有することを特徴とする上記［１］または［２］に記載の液晶パネル用洗浄剤組成物。
【００１１】
［４］界面活性剤（Ｃ）を含有することを特徴とする上記［１］ないし［３］のいずれかに記載の液晶パネル用洗浄剤組成物。
［５］界面活性剤（Ｃ）が、アニオン性またはノニオン性の界面活性剤であることを特徴とする上記［４］に記載の液晶パネル用洗浄剤組成物。
［６］サーファクチン及び／またはその塩（Ａ）の含有量が、組成物全量に対して０．００５〜９０質量％であることを特徴とする上記［１］〜［３］のいずれかに記載の液晶パネル用洗浄剤組成物。
【００１２】
［７］上記［１］〜［６］のいずれかに記載の液晶パネル用洗浄剤組成物を希釈してなる洗浄剤液。
［８］上記［１］〜［６］のいずれかに記載の液晶パネル用洗浄剤組成物または上記［７］に記載の洗浄剤液を用いることを特徴とする液晶パネルの洗浄方法。
［９］超音波により洗浄することを特徴とする上記［８］に記載の液晶パネルの洗浄方法。
【発明の実施の形態】
以下、本発明を詳細に説明する。
まず、本発明の液晶パネル用洗浄剤組成物において用いられるサーファクチン及び／またはその塩（Ａ）について説明する。
【００１３】
サーファクチンは、下記一般式（１）
【００１４】
【化１】
2004027133.tif 000002
【００１５】
（式（１）において、×は、ロイシン、イソロイシンまたはバリン残基、Ｒは、炭素数９〜１３のノルマルアルキル基またはイソアルキル基またはアンテイソアルキル基を表す。）
【００１６】
で示されるリボペプチド構造を有する化合物であり、通常は原核生物により生産される。サーファクチンの産生に用いられる原核生物としては、例えばバチルスズブチリスＩＡＭ１２１３株、ＩＡＭ１０６９株、ＩＡＭ１２６０株、ＩＦＯ３０３５株、ＡＴＣＣ２１３３２株等のバチルス属微生物が用いられる。この微生物を培養し、精製することにより容易にサーファクチンを得ることができる。
【００１７】
培養後の精製は、例えば培養液を塩酸等の添加により酸性にし、沈殿したサーファクチンを濾別後メタノール等の有機溶媒に溶解し、その後適宜限外濾過、活性炭処理、結晶化等を行なうことによってなされる。酸添加による沈澱は、カルシウム塩の添加による沈殿におきかえてもかまわない。（Ｂｉｏｃｈｅｍ．　Ｂｉｏｐｈ．Ｒｅｓ．Ｃｏｍｍｕｎ．，３１：４８８−４９４（１９６８））。
【００１８】
これらサーファクチンは、一般に上記一般式（１）に示す１種または２種以上の化合物からなっている。式（１）において、Ｒは前記したように炭素数９〜１３のノルマルアルキル基またはイソアルキル基またはアンテイソアルキル基である。ノルマルアルキル基は直鎖アルキル基、イソアルキル基は通常（ＣＨ３）２ＣＨ−（ＣＨ２）ｎ−（式中、ｎは６〜１０の整数である。）なる横造であり、アンテイソアルキル基は通常ＣＨ３−ＣＨ２−ＣＨ（ＣＨ３）一（ＣＨ２）ｎ−（式中、ｎは５〜９の整数である。）なる構造である。サーファクチンは、培養液をそのまま用いてもよく、また精製して用いてもよい。
【００１９】
サーファクチンは、上記一般式（１）からわかるように、金属塩、アンモニウム塩や有機アンモニウム塩としても利用することができる。対イオンとなる金属はナトリウム、カリウム、リチウム等のアルカリ金属、カルシウム、マグネシウム等のアルカリ土類金属等をはじめとして、アンモニウム塩等サーファクチンと塩を形成するものであれば種類を問わない。
【００２０】
さらに有機アンモニウム塩としては、トリメチルアミン、トリエチルアミン、トリブチルアミン、モノエタノールアミン、ジエタノールアミン、トリエタノールアミン、リジン、アルギニン及びコリン等の塩を挙げることができる。
これらの中でも本発明においてはアルカリ金属塩、特にナトリウム塩が好ましい。
【００２１】
サーファクチン及び／またはその塩（Ａ）としては、例えば、昭和電工株式会社のサーファクチンナトリウム塩（商品名：アミノフェクト（昭和電工株式会社登録商標））等がある。
【００２２】
これらサーファクチン及び／またはその塩（Ａ）は、組成物全量に対して０．００５〜９０質量％配合することができるが、好ましくは０．０１〜７０質量％、より好ましくは０．０５〜４０質量％である。
【００２３】
これらサーファクチン及び／またはその塩（Ａ）の配合量が、０．００５質量％未満では、サーファクチンを配合したことによる空隙部位への浸透力、液晶除去力が小さく、逆に９０質量％を超えると、粘度が高すぎて取扱が困難になるため好ましくない。
【００２４】
サーファクチンの配合量が９０質量％以下でも高濃度での使用は、そのままでは洗浄剤としては粘度が高く取り扱いにくい傾向があるが、逆に高濃度品は、洗浄剤組成物の使用場所と製造場所が離れている場合等に、輸送コストが割安になるので有利である。
【００２５】
高濃度品とは、サーファクチン及び／またはその塩（Ａ）を、組成物全量に対して４０〜９０質量％配合してなる組成物をいう。これら高濃度品は、使用時に希釈して洗浄剤液として使用することができる。洗浄剤液としては、上記洗浄剤組成物の高濃度品を１〜１０００倍希釈で用いることができるが、洗浄効率を考慮すると、１〜１００倍希釈が好ましい。
【００２６】
本発明において用いる界面活性剤（Ｃ）としては、アニオン性界面活性剤、ノニオン性界面活性剤、カチオン性界面活性剤、両性界面活性剤が挙げられ、これら界面活性剤は、単独あるいは２種以上併用して用いることができるが、特にアニオン性界面活性剤またはノニオン性界面活性剤が好ましい。
【００２７】
本発明において用いられるアニオン性界面活性剤としては、例えば、アルキルサルフェート、ＰＯＥアルキルエーテルサルフェート、ＰＯＥアルキルフェニルエーテルサルフェート、ＰＯＥベンジル（またはスチリル）フェニル（またはフェニルフェニル）エーテルサルフェート、ポリオキシエチレン・ポリオキシプロピレンブロックポリマーサルフェート等のナトリウム、カルシウム、アンモニア、アミン類等の塩類のサルフェート型、パラフィンスルフォネート、ＡＯＳ、ジアルキルスルホサクシネート、アルキルベンゼンスルホネート、モノまたはジアルキルナフタレンスルホネート、ナフタレンスルホネート、ナフタレンスルホネート・ホルマリン縮合物、アルキルジフェニルエーテルジスルホネート、リグニンスルホネート、ＰＯＥアルキルフェニルエーテルスルホネート、ＰＯＥアルキルエーテルスルホコハク酸ハーフエステル等のナトリウム、カルシウム、アンモニア、アミン等の塩類のスルホネート型、脂肪酸塩、Ｎ−メチル−脂肪酸サルコシネート、樹脂酸塩等のカルボン酸型、ＰＯＥアルキルエーテルホスフェート、ＰＯＥモノまたはジアルキルフェニルエーテルホスフェート、ＰＯＥベンジル（またはスチリル）化フェニル（またはフェニルフェニル）エーテルホスフェート、ポリオキシエチレン・ポリオキシプロピレンブロックポリマー、ホスファチジルコリン・ホスファチジルエタノールイミン（レシチン）、アルキルホスフェート等のナトリウム、カルシウム、アンモニア、アミン等の塩類のホスフェート型等が挙げられる。
【００２８】
なかでも、下記１）〜７）のものが好ましい。
１）平均炭素数８〜１６のアルキル基を有する直鎮アルキルベンゼンスルホン酸塩、
２）平均炭素数１０〜２０のα−オレフィンスルホン酸塩、
３）アルキル基またはアルケニル基の炭素数が４〜１０のジアルキルスルホコハク酸塩
４）下記一般式（２）
【００２９】
【化２】
2004027133.tif 000003
【００３０】
（Ｒは炭素数８〜２０のアルキル基またはアルケニル基、Ｙは炭素数１〜３のアルキル基または対イオン、Ｚは対イオンを表す。）
で表される脂肪酸低級アルキルエステルのスルホン酸塩または脂肪酸スルホン化物のジ塩
【００３１】
５）平均炭素数１０〜２０のアルキル硫酸塩、
６）平均炭素数１０〜２０の直鎖または分岐鎖のアルキル基もしくはアルケニル基を有し、平均０．５〜８モルのエチレンオキサイドを付加したアルキルエーテル硫酸塩、及び
７）平均炭素数１０〜２２の飽和または不飽和脂肪酸塩。
【００３２】
これらのアニオン性界面活性剤における対イオンとしては、特に限定はないが、通常ナトリウムやカリウム等のアルカリ金属塩等が用いられる。
【００３３】
また、本発明において用いられるノニオン性界面活性剤としては、アルキルエーテル型、アルキルアリルエーテル型、アルキルチオエーテル型、アルキルフェニルエーテル型、ジアルキルフェニルエーテル型等のエーテル型；アルキルエステル型、ソルビタンアルキルエステル型、グリセリン脂肪酸エステル型、脂肪酸ジエステル型等のエステル型；アミン、アミド等の含窒素化合物のアルキレンオキシド（炭素数２〜３、特に炭素数２）付加型；エチレンオキシドとプロピレンオキシドを重付加させたプルロニックまたはテトロニック型；ポリエチレンイミン型等が挙げられる。
【００３４】
これらの中では、分子中に炭素数４〜２４の炭化水素基を疎水基として有するものが好ましい。さらにアルキルエーテル型、アルキルアリルエーテル型、アルキルチオエーテル型等のエーテル型及びアルキルエステル型、ソルビタンアルキルエステル型、グリセリン脂肪酸エステル型等のエステル型のノニオン性界面活性剤が好ましく、アルキルエーテル型ノニオン性界面活性剤が特に好ましい。界面活性剤のＨＬＢは特に限定はないが、通常１．５〜１８、好ましくは３〜１５の範囲がよい。
【００３５】
本発明において用いる界面活性剤（Ｃ）は、サーファクチンの機能を補助するために有効であり、その配合量としては、組成物全量に対して、０〜９０質量％配合することが可能であるが、通常は、０．１〜７０質量％、好ましくは１〜５０質量％である。界面活性剤（Ｃ）の配合量が、０．１質量％未満の場合は、添加したことによる性能向上がみられず、逆に９０質量％を超えると、物性への影響が大きく、またそれ以上の性能向上は望めず、またすすぎ性が劣化する傾向がある。
【００３６】
本発明において、水及び／またはアルコール（Ｂ）の含有量は、特に限定されない。期待する洗浄力、流動性等により適宜決定される。一般に水の含有量が多くなると、輸送コストが上昇し経済的でなく、また、洗浄力も低下する。一方、水の含有量が少なくなると、流動性が低下し、取扱いづらくなる傾向がある。
【００３７】
本発明において用いるアルコールとしては、特に限定はないが、メタノール、エタノール、プロパノール、ブタノール、イソプロピルアルコール等の１価アルコール類；エチレングリコール、プロピレングリコール、ブチレングリコール、グリセリン等の多価アルコール類等を使用することができる。組成物中でのアルコールの配合量は、期待される洗浄剤の洗浄力、流動性等を考慮して適宜決定さ
れる。
【００３８】
本発明の液晶パネル用洗浄剤組成物には、その他必要に応じて任意成分を配合することができる。
【００３９】
配合することができる他の任意成分としては、モノエタノールアミン、ジエタノールアミン、トリエタノールアミン等のアルカノールアミン類；エチレングリコールモノメチルエーテル、ジエチレングリコールモノプロピルエーテル、エチレンジプロピレングリコールモノブチルエーテル等のグリコールモノエーテル類；エチレングリコールジメチルエーテル等のグリコールエーテル類等のエーテル類；デカン、ドデカン、ドデセンヘキサデセン等の炭素数１０〜１６のパラフィン、オレフィン、パルミチン酸、アテアリン酸、ラウリン酸、ミリスチン酸等の飽和脂肪酸類；オレイン酸、リノール酸等の不飽和脂肪酸類；及びそれらの塩類；リンゴ酸、クエン酸塩、リン酸塩、エチレンジアミン四酢酸塩等の有機酸及びその塩類等がある。
【００４０】
また、洗浄ビルダーを配合する場合には、本発明の液晶パネル用洗浄剤組成物中に０．１〜１５質量％、好ましくは０．５〜１０質量％配合するのが適当である。洗浄ビルダーが上記範囲をはずれると、添加効果が見られなかったり、液分離等の不都合が発生する場合がある。
【００４１】
さらに、パラフィン、オレフィン等を配合する場合には、配合量は、本発明の液晶パネル用洗浄剤組成物中に０．５〜２０質量％が適当である。
【００４２】
本発明において使用される任意成分の中で、引火性を示す化合物については、引火点が１００℃以上のものが望ましい。引火点が１００℃以下であると、洗浄剤の引火性の危険度が高くなることがあるためである。
【００４３】
また、本発明において配合される他の成分を決定する際には、液晶パネルを洗浄する際、液晶パネルを保持するために使用する保持具、その他の部品が、アルミニウム製の場合があるので、好ましくは、アルミニウムに対する腐食性の少ない化合物を選択することが望ましい。
【００４４】
また、液安定性や粘度特性を保持するためのトルエンスルホン酸塩、キシレンスルホン酸塩等のハイドロトロープ剤等を配合する場合には、本発明の液晶パネル用洗浄剤組成物中に０．５〜４０質量％、好ましくは５〜２０質量％配合するのが適当である。
【００４５】
さらに、本発明においては目的に応じてベンゾトリアゾール、ｔ−ブチル安息香酸塩等の防錆剤を配合することが可能であり、本発明の液晶パネル用洗浄剤組成物中に０．０１〜１０質量％配合するのが適当である。さらに、キレート剤、腐食抑制剤、抗酸化剤等の公知の添加剤を適宜配合することもできる。
【００４６】
本発明の液晶パネル用洗浄剤組成物は、組成物そのままの濃度で洗浄することも、また、さらに水及び／または親水性有機溶媒等で希釈した洗浄剤液として使用することも可能である。親水有機溶媒は通常洗浄剤に使われているものを限定なく使用することができる。
【００４７】
本発明の液晶パネル用洗浄剤液中の、上記洗浄剤組成物の含有量は、洗浄条件、洗浄効果等により適宜選択される。
【００４８】
本発明の液晶パネル用洗浄剤組成物は、前述の通り、液晶パネルの空隙部位に侵入している液晶材を高度に洗浄可能な洗浄剤として利用される。また、基盤の切断屑を始めとした微細ゴミの洗浄に対しても、優れた効果がみられる。
【００４９】
本発明の液晶パネル用洗浄剤組成物が適用される液晶パネルは、特に限定はなく、ＴＦＴ液晶、ＳＴＮ液晶、ＴＮ液晶等、何れの液晶パネルも洗浄することが可能である。
【００５０】
本発明において、液晶パネルの洗浄方法としては、特に限定はなく、超音波洗浄、シャワー洗浄、揺動による洗浄方法等を適用することができ、複数の方法を組み合わせることもできる。
【００５１】
例えば、本発明の液晶パネル用洗浄剤組成物を希釈した洗浄剤液中に、液晶パネルを浸漬し超音波処理を行い、次いで液晶パネルを水に浸漬し、超音波処理を行う等により、液晶パネルを洗浄することができる。
【００５２】
洗浄温度としては、装置の設定により適宜決定されるが、通常１０℃〜７０℃、好ましくは１５℃〜６０℃程度である。洗浄時間も装置の設定にあわせられるが、通常３分〜５０分、好ましくは５分〜３０分である。
【００５３】
次にすすぎ方法に関しては、純水（イオン交換水）による浸漬すすぎ、スプレーすすぎ、超音波すすぎ等が用いられる。純水によるリンス温度としては、通常１０℃〜９０℃、好ましくは１５℃〜７０℃である。液晶パネルは、リンスした後、６０℃〜８０℃の温度範囲において、５分〜１２０分間程度加熱乾燥され、後に、清浄な液晶パネルとなる。
【００５４】
【実施例】
以下、実施例により本発明をさらに詳細に説明するが、本発明はこれら実施例によりなんら限定されるものではない。参考例として、サーファクチンナトリウムの水表面張力活性をグラフ１に示す。
【００５５】
実施例１〜６及び比較例１〜２
各洗浄剤組成物の配合を表１に示す。
【００５６】
【表１】
2004027133.tif 000004
【００５７】
表１に示した洗浄剤組成物を純水で１０ｗｔ％に調製し、洗浄剤液を調整し、代表的な液晶パネルに対して洗浄力とすすぎ性の評価実験を行なった。その結果を表２に示す。尚、洗浄カとすすぎ性の評価は、以下の方法及び判定基準を用いて行なった。
【００５８】
（１）空隙部位の洗浄力評価方法
空隙５μｍの液晶パネルの空隙部位に液晶材（ＴＦＴ）を封入し、室温で１時間静置し、これを被洗浄サンプルとする。用意した洗浄剤組成物を用い、４０℃、５分間超音波洗浄を行う。
【００５９】
その後、被洗浄パネルを取り出し、３０℃のイオン交換水中に５分間浸漬し、超音波すすぎを行った。すすぎを行った後、１２０℃の乾燥機中で１５分間乾燥を行い、乾燥終了後、偏光顕微鏡を用いて空隙部位を観察し、液晶材の残留を以下の評価基準に従って評価する。尚、Ａ，Ｂが有効な洗浄力を発揮できていることを示す。
【００６０】
洗浄力評価基準（液晶材の残留状態による評価）
Ａ：完全に洗浄される。Ｂ：極僅かに残留が認められるＣ：少し残留が認められるＤ：残留が多い。
【００６１】
（２）すすぎ性の評価方法
（１）空隙部位の洗浄力評価方法と同様に、洗浄、すすぎ、乾燥を行った後、顕微鏡を用いて洗浄剤の残留性を以下の評価点に従って目視で判定する。尚、Ａ，Ｂがすすぎ性の優れていることを示す。
【００６２】
すすぎ性評価基準（洗浄剤の残留状態による評価）Ａ：完全に除去される。Ｂ：極僅かに残留が認められるＣ：少し残留が認められるＤ：残留が多い。
【００６３】
【表２】
2004027133.tif 000005
【００６４】
【発明の効果】
本発明の液晶パネル用洗浄剤組成物を使用することにより、今まで困難であった液晶パネルのカレットの洗浄を効率的にすることができると共に、液晶パネル表面及び空隙部位の液晶物質の汚垢洗浄も効率的にできるものとなる。
このように本発明の液晶パネル用洗浄剤及びそれを用いた洗浄方法を用いることにより、環境に負荷をかけずに、液晶パネルの洗浄を行うことができる
【図面の簡単な説明】
【図１】サーファクチンナトリウムの表面張力を示すグラフである。
【図１】
2004027133.tif 000006